(57)【要約】【課題】太陽光の光量の推移と相関を持ち、生体リズム調整ができ且つ覚醒度の維持がし易い照明システムを提供することにある。【解決手段】受光部１は、太陽光の光量と相関（比例）を有する電圧信号を発生する。電力制御部２の比較部７は基準波形発生部６の基準電圧電圧Ｖ0 が受光部１からの電圧信号よりも高いときには”Ｈ”の制御信号を出力する。点灯装置４はこの制御信号の幅に応じて照明負荷５の点灯電力（調光度合）を設定する。点灯装置４は入力する制御信号の幅に応じ太陽からの受光光量（外光）の変化に比例して照明対象である屋内の照度が変化するように照明負荷５へ供給する点灯電力を設定する。つまり受光光量が少なくなって制御信号の幅が大きくなるとそれに応じて点灯電力を小さくして照度を低下させ、逆に受光光量が多くなって制御信号の幅が小さくなると点灯電力を大きくして照度を高くするのである。【選択図】図１
2005228753.tif 000002
【特許請求の範囲】
【請求項１】
屋内の照明を行う照明負荷と、太陽光を受光してその光量と相関を有する信号を出力する受光部、受光部の出力信号と相関を有して照明負荷の点灯電力の大きさを設定する電力制御部、該電力制御部で設定される点灯電力で照明負荷を点灯する点灯装置、照明負荷に点灯装置を介して点灯電力を供給する電力供給部からなる点灯制御手段とを備えて成ることを特徴とする照明システム。
【請求項２】
予め下限となる点灯電力レベルを設定した電力レベル設定部を備え、電力制御部は受光部の出力信号に対応した点灯電力と電力レベル設定部で設定した点灯電力とを比較して大きい方の点灯電力に対応するように照明負荷の点灯電力の大きさを制御することを特徴とする請求項１記載の照明システム。
【請求項３】
電力制御部の制御とは無関係に電力を供給する予備電力供給部と予め下限となる電力レベルを設定した電力レベル設定部とを備え、電力制御部は電力供給部の供給電力が電力レベル設定部で設定したレベルの点灯電力より下回る場合に予備電力供給部の電力を電力供給部の供給電力に加算して照明負荷に供給するように制御することを特徴とする請求項１記載の照明システム。
【請求項４】
電力制御部の制御とは無関係に電力を供給する予備電力供給部と、照明負荷に対して電力供給部のみの電力を供給するか電力供給部の電力に予備電力供給部の電力を加算した電力を供給するかを選択するスイッチ部とを付加したことを特徴とする請求項１記載の照明システム。
【請求項５】
電力制御部の制御とは無関係に電力を供給する予備電力供給部と予備電力供給部に接続される定照度照明負荷とを付設して成ることを特徴とする請求項１記載の照明システム。
【請求項６】
電力レベル設定部において、設定する電力レベル値を時刻によって変化させることを特徴とする請求項２又は３記載の照明システム。
【請求項７】
受光部と電力供給部とを同一の太陽電池で構成し、予備電力供給部を商用電源と整流器とで構成することを特徴とする請求項３乃至５の何れか記載の照明システム。
【請求項８】
電力供給部若しくは太陽電池の出力に低周波通過フィルターを付加して平滑化した電力を照明負荷の点灯電力として供給することを特徴とする請求項１又は５又は６記載の照明システム。
【請求項９】
電力レベル設定部において、夜間は小さく昼間は大きな値とし、朝の移行期と夕方の移行期にはそれぞれ晴天時の日の出と日没をシミュレートするように電力設定値を時間変化させることを特徴とする請求項６記載の照明システム。
【請求項１０】
受光部或いは太陽電池に、受光面可動部と太陽方位判定手段とを付加して、受光部或いは太陽電池の受光面が太陽の方角を追従するように太陽方位判定手段の判定出力に基づいて受光面可動部を制御することを特徴とする請求項１又は７記載の照明システム。
【発明の詳細な説明】
【技術分野】
【０００１】
本発明は、乗り物内や屋内の照明を外光と相関を持たせて制御する照明システムに関するものである。
【背景技術】
【０００２】
外光と相関を有する照明の状態を必要とする分野には以下の４つのものがある。
【０００３】
第１の分野としては、生体リズム（体内時計）の調整ということがあげられる。人体には体内時計があり、その体内時計の固有周期は１日の２４時間に対して約１時間長いことが知られている。従って、例えば暗室又は常時一定の照明下で且つ時刻の手掛かりのないところにおかれた人間は、体内時計の時刻の調整ができず、実際生活の時計の時刻と比較して日を追う毎に体内時計の時刻が後れていく。体内時計を１日の２４時間に合わせるためには、１日に約１時間時計を進める方向に調整しなければならない。このような体内時計の時刻の修正には、光（特に、明るい光）の刺激が有効であることが知られている。自然環境に従う通常生活においては、人間は主として太陽光の変化を刺激として体内時計の時刻の調整を行っているのである。
【０００４】
ところで、生体リズム（体内時計）の調整がうまくいかない場合には、心身に様々な変調を来すことが知られている。多くの人が経験するわかり易い例として、体内時計の時刻と実際生活の時刻の相違による異常として、時差ぼけ症状をあげることができる。また、体内時計の調整に必要な光が不足することによって生体リズムに異常を来し、季節性感情障害（冬季うつ病）が発症することがある。光の不足が加齢による生体リズム弱体化を促進して、老人の睡眠障害や痴呆症状の一部である昼夜逆転異常行動・夜間徘徊などにつながるという説もある。朝起きられない、或いは登校できない子供達の中には、生体リズムに異常が見られる場合が多いという報告がある。
【０００５】
このような生体リズム（体内時計）異常を解消或いは予防するために、光（高照度光）を利用する方法が有効であることが知られており、人体に装着して眼球に光を照射する装置やパネル状に照明器具を配置して、顔面を照明する高照度光源を提供する装置などが開発されている。照度環境に関して低い照度で且つ恒常条件が想定される場所として、病院・老人ホーム・地下街などがあげられ、これらの場所では、生体リズム（体内時計）調整のための明るい光が必要であるとともに、同時に多数の人を対象に調光することが必要であると考えられる。更に、それらの場所において生体リズム調整を目的として調光する場合に、外光（太陽光）と相関を有するような調光をすると、自然のリズムを取り戻す或いは維持するのに有効であると考えられる。
【０００６】
第２番目の分野としては、昼間の明るい光による覚醒度の維持或いは向上ということがあげられる。一般に、光刺激を網膜で受光することにより、眠気を誘発するといわれるメラトニンというホルモンの分泌が抑制されるということが知られている。また、光刺激により交感神経系の活動が亢進され、結果として覚醒度が向上することが知られている。このような光による覚醒維持効果は、照度が高くなるにつれて大きくなる傾向がある。
【０００７】
尚、同じように明るい光刺激でも、一定の照度が長時間連続するよりも照度変化に揺らぎのある方が覚醒維持効果が高くなることが知られている。特に、照度下降時の変化速度を小さく照度上昇時の変化速度を大きくすると、より効果的である。
【０００８】
さて、日中の覚醒度は夜間に比較すると高いレベルを維持するのが通常であるが日中においても時間とともに変化し、幾つかの山や谷を示すことが知られている。それらのうち日中の覚醒度低下が著しいのは、午後の前半（昼食後の時間帯に相当）であるが、昼食を取る取らないに関わらず覚醒度の変化が生じることが知られている。覚醒度の変化の度合いには個人差があるが、日中の覚醒度低下が大きい場合には、谷時間の時間帯に一度休息を取っておく方が、その後の作業効率が高まると考えられる。このような、光による覚醒維持作用の利用が想定される場所としてオフィス・工場・学校・地下街などがあげられる。
【０００９】
第３番目の分野としては、日照が取り入れられない或いは不足がちの住環境に日照と同様の効果を与えるものとして、通杯「ひまわり」という追従型の装置が知られている。この装置は、光ファイバーで太陽光を住環境まで導入しようとするものである。
【００１０】
第４番目の分野としては、店舗やオフィス・工場などの窓際の照明に関する光の利用が知られている。店舗照明の場合一般に、外光が強くなると店舗内窓際の照明を明るくすることが効果的であるといわれている。それは、外界と窓際の照度差が大きくなると店舗が暗く感じられるという悪影響が生じるためである。この悪影響を避けるために、外が明るいときには窓際の照明を多く点灯することが行われている。また、オフィス・工場など通常人が在室する室内で側面が採光量の多い窓である場合、昼間特に晴天時には室内の人物や物体と背景の窓面との輝度コントラストが大きくて適切な見え方を維持することができない。このような悪影響を避けるために、外が明るいときには窓際の天井照明を室内中央の天井照明より明るくすることが効果的であるといわれている。
【００１１】
尚照度の測定位置は、顔面の照度が理想であるが正確な計測が困難であるため、通常代用特性として、床面から高さ１．２ｍ地点（椅子に座ったときの眼球位置）での鉛直面照度を用いた。以下の説明に出てくる照度もこの位置での測定による。尚通常作業等に必要な基準としての照度は、机上面での水平面照度（作業等に必要な基準として）をいう。一般的には通常室内での両照度の関係は、水平面照度が鉛直面照度の約１．５倍となる。
【発明の開示】
【発明が解決しようとする課題】
【００１２】
ところで上述した４つの分野について総じていえば、外光と相関を有するように自動的に調光制御される照明システムがないという問題点がある。
【００１３】
つまり第１番目の分野において利用可能な既存の照明装置は、個人使用を目的とした小型のものであり、また、着脱やオン／オフの制御などが煩わしいという問題点がある。更に、照度環境に関して低照度で且つ恒常条件が想定される病院・老人ホーム・地下街などの場所において生体リズム調整をしようという場合には、既存の小型の装置では、多くの台数が必要で且つ着脱やオン／オフの制御などに多くの人手を要し、実用的でないという問題点があった。
【００１４】
また第２番目の分野において利用可能な既存の照明装置は、未だ実現されていなかった。  また第３番目の分野における従来技術である「ひまわり」という装置は、設備が非常に大きく、その結果コストも大きくなるが、光ファイバーにより得られる光量は一般的室内照明に比べて少ないという問題点があった。
【００１５】
第４番目の分野においては、手動によって窓際の照明の点灯数や種類を変えて調光しており、自動的で多段階に及ぶ調光ができないという問題点があった。
【００１６】
更に、室内照明としての実用性を持たせるために、必要最小量の電力を確保するという課題、外光と関係なく必要最小量の電力を確保するための電力源を別に用意しておくという課題、電力を設定レベルに常に制御したままでは外光と相関を有する電力を得られないので、電力が設定レベルに制御された状態か外光と相関を有する状態かの選択を必要に応じて切り換えることができるようにするという課題、外光と相関を有する電力の供給を受ける照明装置と外光と関係ない電力の供給を受ける照明装置とを分けて、室内の必要部分で外光と相関を有する照明を利用することができるようにする課題、例えば夜間就寝中は暗く昼間活動時には明るくするなど、室内照明に必要な明るさを時刻によって異なるレベルに設定することができるようにするという課題等々がある。
【００１７】
このような照明システムにおいて実用性を更に求めるならば、設備を小さくして合理的なシステムを提供し、太陽光を利用して商用電力に頼らなくてもすむようにすること、或いは太陽光を利用して、商用電力消費を節約し妥当な量にすることという課題、外光と相関を有する電力が、例えば雲が太陽を横切るなどの外光の細かい変動にそのまま反応して変化してしまうと、室内照明の明るさが頻繁に且つ大きく変化して室内での生活に支障が出るだけでなく目にも悪影響が生じる恐れがあるので、そのような問題点がないように室内の明るさが小さい時定数では変化しないようにする課題がある。
【００１８】
次に、各利用分野に特有の課題としては次のようなものがある。
【００１９】
第１番目の生体リズム調整を目的とする利用分野では、昼間は明るく夜間は暗くというように昼夜で明るさのメリハリをつけるとともに、昼夜の切り換わりでは照度変化が急激にならないようにするという課題があり、外光と相関を有する照度変化の中で朝の光を特に重要視して利用するという課題がある。
【００２０】
第２番目の明るい光による覚醒維持を目的とする利用分野では照度に揺らぎを持たせて、単に明るい光よりも一層覚醒維持効果を高めるという課題、照度変化速度について明→暗を暗→明より小さい速度にするという課題、照度変化が規則的で単調にならないようにするという課題、照度制御を基本照明とタスク照明とに分けて、タスク照明により個人の状態に応じて適切な制御をするという課題がある。
【００２１】
第３番目の日照不足がちの住環境への光補充を目的とする利用分野では、外光と相関を有する照明において、できるだけ光を多く室内に取り入れるという課題がある。
【００２２】
第４番目の窓際照明での照度補正を目的とする利用分野では、外光と相関を有する照明を窓際に配置して室内照度補正を行うのであるが、窓から入射する外光と相関を持たせるようにするという課題がある。
【００２３】
本発明は上述の課題を解決することを目的としてなされたものであり、太陽光の光量の推移と相関を持ち、生体リズム調整ができ且つ覚醒度の維持がし易い照明システムを提供することにある。
【課題を解決するための手段】
【００２４】
上述の目的を達成するために、請求項１の発明では、屋内の照明を行う照明負荷と、太陽光を受光してその光量と相関を有する信号を出力する受光部、受光部の出力信号と相関を有して照明負荷の点灯電力の大きさを設定する電力制御部、該電力制御部で設定される点灯電力で照明負荷を点灯する点灯装置、照明負荷に点灯装置を介して点灯電力を供給する電力供給部からなる点灯制御手段とを備えたことを特徴としたもので、太陽光と相関を有するような照度を得ることができ、生体リズム調整を自然のリズムを取り戻す形で或いはリズムや昼間の覚醒度を維持する形で行うのに有効となる。
【００２５】
請求項２の発明では、請求項１の発明において、予め下限となる点灯電力レベルを設定した電力レベル設定部を備え、電力制御部は受光部の出力信号に対応した点灯電力と電力レベル設定部で設定した点灯電力とを比較して大きい方の点灯電力に対応するように照明負荷の点灯電力の大きさを制御することを特徴とし、必要最小限の照度を確保することができて、室内照明としての実用性を持たせることができる。
【００２６】
請求項３の発明では、請求項１の発明において、電力制御部の制御とは無関係に電力を供給する予備電力供給部と予め下限となる電力レベルを設定した電力レベル設定部とを備え、電力制御部は電力供給部の供給電力が電力レベル設定部で設定したレベルの点灯電力より下回る場合に予備電力供給部の電力を電力供給部の供給電力に加算して照明負荷に供給するように制御することを特徴とし、外光と関係なく必要最小限の照度を得るための点灯電力を確保するための電力源を別に用意しておくことにより、必要最小限の照度を得るための点灯電力を確保して室内照明としての実用性を持たせることができる。
【００２７】
請求項４の発明では、請求項１の発明において、電力制御部の制御とは無関係に電力を供給する予備電力供給部と、照明負荷に対して電力供給部のみの電力を供給するか電力供給部の電力に予備電力供給部の電力を加算した電力を供給するかを選択するスイッチ部とを付加したことを特徴とし、電力供給部の電力が少ないときには照明負荷の点灯電力を一定値にして必要最小限の照度を確保することができ、また電力供給部の電力が十分なときには予備電力供給部を切り離して、外光と相関を有する照度となるように照明負荷の点灯を制御することができる。
【００２８】
請求項５の発明では、請求項１の発明において、電力制御部の制御とは無関係に電力を供給する予備電力供給部と予備電力供給部に接続される定照度照明負荷とを付設して成ることを特徴とし、室内で外光と相関を有する照明を必要とする部分で選択的に利用することができるとともにその他の部分では常に一定の電力を確保して室内照明としての実用性を持たせることができる。
【００２９】
請求項６の発明では、請求項２又は７に発明において、電力レベル設定部で設定する電力レベル値を時刻によって変化させるので、夜間就寝中は暗く昼間活動時には明るくするなど、室内照明に必要な明るさを時刻によって異なるレベルに設定することができる。
【００３０】
請求項７の発明では、請求項３乃至５の何れかの発明において、請求項５〜７の発明において、受光部と電力供給部とを同一の太陽電池で構成し、予備電力供給部を商用電源と整流器とで構成したことを特徴とし、設備を小さくして合理的なシステムを提供できるだけでなく、太陽光を利用して商用電力消費を節約し妥当な量にすることができる。
【００３１】
請求項８の発明では、請求項１又は５又は６の発明において、電力供給部若しくは太陽電池の出力に低周波通過フィルターを付加して平滑化した電力を照明負荷の点灯電力として供給することを特徴とし、平滑化した電力を負荷である照明装置に供給でき、室内の明るさが小さい時定数では変化しないようになり、外光と相関を有する電力が、例えば雲が太陽を横切るなどの外光の細かい変動にそのまま反応して変化して室内照明の明るさが頻繁にかつ大きく変化して室内での生活に支障が出るだけでなく目にも悪影響が生じる等の恐れがない。
【００３２】
請求項９の発明では、請求項６の発明において、電力レベル設定部で、夜間は小さく昼間は大きな値とし、朝の移行期と夕方の移行期にはそれぞれ晴天時の日の出と日没をシミュレートするように電力設定値を時間変化させることを特徴とし、昼間は明るく夜間は暗くというように昼夜で明るさのメリハリをつけるとともに、昼夜の切り換わりでは照度変化が急激にならないようにして、生体リズム調整機能を向上させることができる。
【００３３】
請求項１０の発明では、請求項１又は７の発明において、受光部或いは太陽電池に、受光面可動部と太陽方位判定手段とを付加して、受光部或いは太陽電池の受光面が太陽の方角を追従するように太陽方位判定手段の判定出力に基づいて受光面可動部を制御することを特徴とし、受光面が太陽の方角を追従するように制御することができ、日照不足がちの住環境への光補充を目的とする場合に、できるだけ光を多く室内に取り入れることができる。
【発明の効果】
【００３４】
本発明は、太陽光と相関を有するような照度を得ることができ、生体リズム調整を自然のリズムを取り戻す形で或いはリズムや昼間の覚醒度を維持する形で行うのに有効となるという効果がある。
【発明を実施するための最良の形態】
【００３５】
以下本発明を実施形態により説明する。
（実施形態１）
図１は本実施形態を示すもので、本実施形態は太陽光を受光して、その光量と相関を有する信号を出力する例えば太陽電池或いはＣｄＳ等の受光素子からなる受光部１と、受光部１に接続され受光部１の出力信号と相関を有する点灯電力で照明負荷５を点灯させるための制御信号を出力する電力制御部２と、電力制御部２の制御信号に応じた点灯電力で照明負荷５を連続調光点灯させる点灯装置６と、該点灯装置４を通じて照明負荷５に電力を供給する電力供給部３とから構成される。
【００３６】
照明負荷５は本実施形態（以下に述べる他の実施形態でも同様）では蛍光ランプのような放電灯負荷を用い、これに対応して点灯装置４には外部からの制御信号の幅に応じて発振周波数を可変して安定器用インピーダンスを変化させ、点灯電力（ランプ電流）を制御する連続調光機能を持つインバータ装置を用いる。尚白熱ランプやハロゲンランプが照明負荷の場合には外部からの制御信号の幅に応じて位相制御等により点灯電力を制御するような調光装置が用いられる。勿論このような方式以外の点灯装置であっても良い。また電力供給部３はインバータ装置である点灯装置４に直流電力を供給するものを用いる。
【００３７】
次に本実施形態の動作について詳述する。
【００３８】
受光部１は、太陽光の光量と相関（比例）を有する電圧信号を電力制御部２へ出力する。電力制御部２は基準波形発生部６で発生される所定周波数の三角波形の基準電圧信号と受光部１からの電圧信号とを比較する比較部７とからなり、比較部７は図２（ａ）に示す基準波形発生部６の基準電圧信号Ｖ０  が受光部１からの電圧信号Ｖ１  よりも高いときには”Ｈ”出力を図２（ｂ）に示すように出し、その反対のときには”Ｌ”出力を出す。つまり太陽光の受光光量が多くなると信号幅が小さい制御信号を、また逆に受光光量が少なくなると信号幅が大きい”Ｈ”の制御信号を生成して点灯装置４へ出力する。
【００３９】
点灯装置４は入力する制御信号の幅に応じて、図３（ａ）に示す太陽からの受光光量（外光）の変化に比例して照明対象である室内の照度（例えば机上面の照度）が図３（ｂ）に示す如く変化するように照明負荷５へ供給する点灯電力を設定する。つまり点灯装置４は受光光量が少なくなって制御信号の幅が大きくなるとそれに応じて点灯電力を小さくして照明負荷５の光出力を小さくし、照明域の照度を低下させる。逆に受光光量が多くなって制御信号の幅が小さくなると点灯電力を大きくして照明負荷５の光出力を増加させ、照明域の照度を高くするのである。
（実施形態２）
図４は本実施形態を示すもので、本実施形態は図示するように太陽光を受光して、その光量と相関を有する信号を出力する受光部１と、受光部１に接続され受光部１の出力信号と相関を有する点灯電力で照明負荷５を点灯させるための制御信号を出力する電力制御部２と、電力制御部２の制御信号に応じた点灯電力で照明負荷５を連続調光点灯する点灯装置４と、該点灯装置４を通じて照明負荷５に電力を供給する電力供給部３とを備えるとともに、照明負荷５の点灯電力の下限レベルを予め設定するための電力レベル設定部８より構成されている。尚本実施形態では受光部１、点灯装置４、照明負荷５及び電力供給部３は実施形態１と同じ構成のものが用いられる。
【００４０】
次に本実施形態の動作について詳述する。
【００４１】
受光部１は、実施形態１と同様に太陽光の光量と相関（比例）を有する電圧信号を発生する。電力制御部２は基準波形発生部６で発生される所定周波数の三角波形の基準電圧信号と受光部１からの電圧信号とを比較する比較部７とからなり、比較部７は基準波形発生部６の基準電圧Ｖ０  が受光部１からの電圧信号Ｖ１  よりも高いときには比較部７は”Ｈ”出力を出し、その反対のときには”Ｌ”出力を出す（図２（ａ）（ｂ）参照）。”Ｈ”出力により構成される制御信号は電力レベル設定部８から出力される設定信号とともにアンド回路９に入力して論理積が取られる。
【００４２】
電力レベル設定部８は基準波形発生部１０と、下限となる電力レベルを設定する例えばボリューム１２及び基準電圧源１３からなる設定部１１と、比較部１４とからなり、基準波形発生部１０は電力制御部２の基準波形発生部６と同様に三角波形の基準電圧信号を出力し、比較部１４は基準電圧信号と設定部１１の出力電圧とを比較して基準波形発生部１０基準電圧信号が設定部１１の出力電圧を越えている場合に”Ｈ”の信号を出力する。尚基準波形発生部６、１０は同期し且つ同じ波形の基準電圧信号を出力するものとする。
【００４３】
従って比較部７の出力信号の幅が、比較部１４の出力信号の幅より小さい場合には比較部７の出力信号が制御信号として点灯装置４へ出力され、比較部７の出力信号の幅が比較部１４の出力信号の幅より大きくなると比較部１４の出力信号が制御信号として点灯装置４へ出力される。つまり受光部１の受光光量が少なくなって、比較部７の出力信号の幅が比較部１４の出力信号の幅より大きくなると、制御信号の幅は比較部１４の出力信号の幅に固定される。従って点灯電力の下限レベルが比較部１４の出力信号の幅により設定されることになる。
【００４４】
而して本実施形態の点灯装置４では入力する制御信号の幅に応じて図５（ａ）に示す太陽からの受光光量（外光）の変化に比例して照明対象である室内の照度（例えば机上面の照度）が図５（ｂ）に示す如く変化するように照明負荷５へ供給する点灯電力を設定する。つまり受光光量が少ない場合には点灯電力を小さくして照度を低下させ、逆に受光光量が多くなると点灯電力を大きくして照度を高くするのである。また受光部１の受光光量が一定以下になれば予め設定された下限レベルの照度に固定して必要最小限の照度を確保する。
（実施形態３）
図６は本実施形態を示しており、図示するように本実施形態では、点灯装置４を介して照明負荷５に点灯電力を供給する電力供給源として、逆流防止用ダイオードＤ２  を介して点灯装置４の電源入力端に出力端を接続した太陽電池からなる電力供給部３と、電流制限回路１６と逆流防止用ダイオードＤ１  とを介して点灯装置４の電源入力端に出力端を接続した商用電源と整流器からなる予備電力供給部１５とを用いている。
【００４５】
また点灯装置４の電源入力端の電圧を入力するレベル調整器１７と基準波形発生部１８と比較部１９からなる電力レベル設定部２０を付設してある。点灯装置４は電力レベル設定部２０と電力制御部２からの制御信号を受けて照明負荷５の点灯電力を制御して照明負荷５を調光点灯させる。
【００４６】
電力制御部２は実施形態１、２のものと同様に受光部１の出力を受けて太陽光の光量に相関した幅を持つ制御信号を出力するもので、内部構成については図６では省略している。
【００４７】
電力レベル設定部２０の基準波形発生部１８は電力制御部２の基準波形発生部６と同様な三角波形の基準電圧を出力する。
【００４８】
次に本実施形態の動作について詳述する。
【００４９】
而してシステムの動作中にあっては、電力供給部３と予備電力供給部１５から点灯装置４へ電力供給が行われるが、点灯電力が増大した場合、予備電力供給部１５の負担も大きくなる。
【００５０】
予備電力供給部１５は電力制御部２の補助的な役割のため、その電源容量が小さく、点灯装置４の点灯電力が増大して負担が大きくなった場合、出力電流が増大するが、電流制限回路１６によりその電流制限を受けることになる。そのため電力供給部３側の負担が増えることになるが、電力供給部３の供給可能な電力にも限界があるため、電力供給部３の供給可能な電力と予備電力供給部１５の供給可能な電力とを併せた電力よりも点灯電力が大きい場合、過負荷状態となって負荷である点灯装置４の入力電圧は低下することになる。
【００５１】
一方電力レベル設定部２０は点灯装置４の入力電圧をレベル調整器１７に入力してその電圧に対応した電圧レベルに相応する電圧を発生させ、この電圧と基準波形発生部１８が出力する基準電圧とを比較部１９で比較し、比較部１９から電力制御部２と同様な制御信号を出力するようになっており、上記のように点灯装置４の入力電圧が低下すると、それに伴って制御信号の幅が大きくなる。
【００５２】
この電力レベル設定部２０の制御信号は電力制御部２からの制御信号とオア回路４８により論理和が取られて、点灯装置４に入力するようになっており、例えば受光部１の受光量が増大して電力制御部２から出力される制御信号の幅が小さくなっても、上記のように過負荷状態によって点灯装置４の入力電圧が低下した場合、電力レベル設定部２０の制御信号の幅が電力制御部２から出力される制御信号の幅より大きくなり、点灯装置４はこの制御信号を受けて点灯電力を小さくする方向に動作する。つまり電力供給部３と予備電力供給部１５とが現在供給できる最大の電力に応じた点灯電力で照明負荷５を点灯させるように点灯電力を制御することになる。
（実施形態４）
図７は本実施形態を示しており、本実施形態は図示するように太陽光を受光して、その光量と相関を有する信号を出力する受光部１と、受光部１に接続され受光部１の出力信号と相関を有する点灯電力で照明負荷５を点灯させるための制御信号を出力する電力制御部２と、電力制御部２の制御信号に応じた点灯電力で照明負荷５を点灯させる調光点灯装置のような点灯装置４と、該点灯装置４を通じて照明負荷５に電力を供給する電力供給部３とを備えるとともに予備電力供給部１５を備え、この予備電力供給部１５の出力を逆流阻止用ダイオードＤ１  とスイッチＳＷ１  とを介して点灯装置４の電源入力端に、また電力供給部３の出力を逆流阻止用ダイオードＤ２  を介して点灯装置４の電源入力端に接続してある。
【００５３】
ここで受光部１と、点灯装置４、照明負荷５及び電力供給部３の構成は実施形態１に準ずるものとし、また予備電力供給部１５の構成は実施形態３に準ずるものとしている。また電力制御部２は比較部７の出力端を２接点切換スイッチＳＷ２  の一方の固定接点ａに接続してあり、切換スイッチＳＷ２  の可動接点が固定接点ａに接続されると、比較部７の出力する制御信号が点灯装置４の信号入力端に入力され、切換スイッチＳＷ２  の可動接点が固定接点ｂに接続されると、比較部７の出力する制御信号は点灯装置４に出力されず、点灯装置４の信号入力端はグランドに接続される。
【００５４】
スイッチＳＷ１  と切換スイッチＳＷ２  とは連動するもので、スイッチＳＷ１  がオン状態の場合切換スイッチＳＷ２  の可動接点は固定接点ｂ側に接続され、スイッチＳＷ１  がオフ状態の場合切換スイッチＳＷ２  の可動接点は固定接点ａ側に接続される。
【００５５】
次に本実施形態の動作について詳述する。
【００５６】
まずスイッチＳＷ１  がオフされると、電力制御部２の出力端は点灯装置４の信号入力端に接続される。この場合実施形態１と同様な回路構成となって、同様な動作が為される。この場合の動作説明は実施形態１と同じであるため説明は省略する。
【００５７】
次いでスイッチＳＷ１  がオンされると、連動して切換スイッチＳＷ２  の可動接点が固定接点ｂ側に接続され、このため点灯装置４の信号入力端は”Ｌ”レベルとなる。つまり制御信号の幅が零となり、点灯装置４は照明負荷５を全点灯させる。この場合、電力供給部３と予備電力供給部１５とから供給されることになり、照明負荷５を全点灯させるのに十分な電力供給が為されることになる。
【００５８】
つまり、本実施形態によれば、外光と相関を有する照明システムがスイッチＳＷ１  をオフさせることにより実現でき、またスイッチＳＷ１  をオンすることにより外光に無関係に全点灯のモードをユーザーが選択できるシステムを構成することができる。
【００５９】
尚本実施形態の受光部１と電力供給部３としては太陽電池を用い、予備電力供給部１５としては商用電源と整流器からなる電源回路を用いれば良い。勿論この構成に限定されるものではない。
（実施形態５）
図８は本実施形態を示し、本実施形態は、実施形態１のシステムに付加する形でと、予備電力供給部１５と定照度点灯装置４７とこの定照度点灯装置４７で点灯される照明負荷５’とからなるシステムを設け、これら両システムで本発明の照明システムを構築したものである。
【００６０】
次に、本実施形態の動作について詳述する。
【００６１】
まず図８の中の実施形態１と同じ部分（枠Ｘ内）は同じ機能を果たすので説明を省略する。枠Ｙ内のシステムでは予備電力供給部１５からの電力によって、定照度点灯装置４７は照明負荷５’を照明域の照度が一定となるように点灯電力を供給して点灯させる。
【００６２】
従って、本実施形態では、枠Ｙの照明負荷５’の点灯よる一定照度をベースに枠Ｘのシステムによって得られる太陽光の光量に相関する照度が重畳することになる。また、枠Ｘ内のシステムの点灯装置４で点灯される照明負荷５と、枠Ｙ内の定照度点灯装置４７で点灯される照明負荷５’の配置を分けることができ、例えば窓際に照明負荷５を、天井全面に照明負荷５’を配置すれば、窓際で太陽光の光量に相関する照度が重畳されて室内照度補正ができる。
【００６３】
尚本実施形態の受光部１と電力供給部３としては太陽電池を用い、予備電力供給部１５としては商用電源と整流器からなる電源回路を用いると良い。勿論この構成に限定されるものではない。
（実施形態６）
図９は本実施形態を示し、本実施形態は実施形態２と同様に太陽光を受光して、その光量と相関を有する信号を出力する受光部１と、受光部１に接続され受光部１の出力信号と相関を有する点灯電力で照明負荷５を点灯させるための制御信号を出力する電力制御部２と、電力制御部２の制御信号に応じた点灯電力で照明負荷５を点灯させる調光点灯装置のような点灯装置４と、該点灯装置４を通じて照明負荷５に電力を供給する電力供給部３とを備えるとともに、照明負荷５の点灯電力の下限レベルを予め設定するための電力レベル設定部８より構成されているが、本実施形態の電力レベル部６の設定部９は、タイマー２２と、ＲＯＭ２３、Ｄ／Ａ変換部２４とで構成されている点で実施形態２の場合と異なる。
【００６４】
設定部６のＲＯＭ２３は例えば一日の予め設定された電力レベルのデータを書き込まれ、タイマー２２は時刻の経過とともに時刻に応じてＲＯＭ２３の読み出しアドレスデータを出力する。つまり時刻の経過に応じた電力レベルのデータが刻々ＲＯＭ２３から読み出されて、ＲＯＭ２３の出力端に接続されたＤ／Ａ変換部２４によりアナログの電圧信号に変換されて比較部１４に入力される。
【００６５】
次に本実施形態の動作について詳述する。
【００６６】
まずタイマー２２は現在の時刻をＲＯＭ２３のアドレスデータの形で出力し、ＲＯＭ２３は指定されたアドレスに格納されている電力レベルデータを出力する。Ｄ／Ａ変換部２４は電力レベルデータをアナログの電圧信号として出力し、この出力された電圧信号は比較部１４により基準波形発生部１０の基準電圧信号とが比較され、比較部１４はＤ／Ａ変換部２４からの電圧信号を基準電圧信号が越えた期間に対応する幅の信号を出力する。この信号の幅が電力制御部２の比較部７より出力される制御信号の幅より大きい間は比較部７の制御信号がアンド回路９を介して点灯装置４に与えられ、比較部１４の信号の幅が電力制御部２の比較部７より出力される制御信号の幅より小さくなると比較部１４の信号がアンド回路９を介して点灯装置４に制御信号として与えられることになる。
【００６７】
つまり本実施形態では時刻に応じて照度の下限レベルがＲＯＭ２３に予め書き込んである電力レベルによって設定でき、太陽光の受光光量が少ない曇りや雨の日の昼間ではＲＯＭ２３からの電力レベルデータに基づいて照明負荷５の点灯電力を制御して所定の照度を確保することができる。尚ＲＯＭ２３に書き込む電力レベルのデータとして、夜間は小さく昼間は大きな値とし、また朝の移行期と夕方の移行期にはそれぞれ晴天時の日の出と日没をシミュレートするような値とすると、好ましい照度パターンが得られる。特に望ましいパターンとしては、午前中に明るさが最大となるものが良く、１０００乃至５０００ｌｘの範囲の室内照度が得られれば都合が良い。
【００６８】
また、緯度が高いと日の出時刻の季節差が大きくなるが、冬に極端に日の出が遅くなると生体リズム調整にとって好ましくないと考えられる。このような場合には、春や秋の標準的な照度変化パターンを設定しておけば、日の出時刻の季節差を補正して生体リズム調整にとって好ましい照度パターンを得ることができる。
【００６９】
図１０はＲＯＭ２３に書き込まれたの電力データの一例を時系列的にグラフ化したものである。
【００７０】
別の例（図省略）として、午前の前半の設定値を特に高く（１０００〜５０００ｌｘ）してその後の昼間の設定値は通常の室内の明るさ（例えば５００ｌｘ程度）に、設定しておくこともできる。
【００７１】
本実施形態６に用いた一日の予め設定された電力レベルのデータを書き込んだＲＯＭとＲＯＭのアドレスを時刻データとして出力するタイマー２２とＲＯＭ２３から出力される電力レベルのデータをＤ／Ａ変換するＤ／Ａ変換部２４の構成を、実施形態３における電流制限回路１６に付加し、電流制限回路１６の閾値をＤ／Ａ変換部２４の出力で制御するようにすれば、下限或いは設定する電力レベルを時刻によって変化させる照明システムを実現することができる。
（実施形態７）
図１１は本発明の実施形態を示しており、図示するように本実施形態は電力供給部を、太陽光を受光する太陽電池からなる受光部１’で兼用したもので、電力制御部２、点灯装置４、照明負荷５の構成は実施形態１と同じ構成となっているである。
【００７２】
次に、本実施形態の動作について詳述する。
【００７３】
太陽電池からなる受光部１’の出力電力が点灯装置４が照明負荷５に供給する点灯電力よりも小さいときには太陽電池からなる受光部１’の出力電圧は低下する。電力制御部２は受光部１’の受光光量に応じて出力電圧と基準電圧波形発生部１５の基準電圧とを比較して受光部１’を構成する太陽電池の出力電力に相応した幅を持つ制御信号を点灯装置４に出力する。
【００７４】
その結果点灯装置４により制御される照明負荷５に点灯電力は電力供給部を兼ねた受光部１’の太陽電池の出力電圧が低下する受光光量の少ないときには小さくなり、逆に受光部１’の出力電圧が上昇する受光光量の多いときには大きくなって太陽光の受光光量と相関を有する照明システムを実現することができる。
（実施形態８）
図１２は本実施形態を示しており、図示するように本実施形態は実施形態７の電力供給部を兼ねた受光部１’の出力に低周波通過フィルター（例えば、インダクタとコンデンサ等よりなるフィルター）２１を設けたもので、電力制御部２、点灯装置４、照明負荷５は実施形態７と同じ構成となっている。
【００７５】
而して本実施形態では、低周波通過フィルター２１を太陽電池からなる受光部１’の出力段に設けることにより、雲が太陽をさえぎる等に起因する急速な太陽電池の出力電圧の変動を平滑して電力制御部２及び点灯装置４に伝わらないようにすることができる。つまり本実施形態によれば、外光と相関を有する照明システムで、しかも一過性の受光光量の変化に対して応答性の遅くして対処した照明システムを実現することができる。
【００７６】
尚その他の構成の動作は実施形態７と同じであるから、説明は省略する。
【００７７】
ところで、上記実施形態１〜６における受光部１の受光面、或いは、実施形態７、８における太陽電池からなる受光部１’の受光面の方向については各実施形態の説明では特に言及していないが、受光面は日の出方角に向くように設置すれば良い。単純な例では、東方向に受光面を設定すれば良い。また、季節により日の出方位の差が顕著である場合には、カレンダーにより予想される日の出方位に合うように受光面の向きを制御すれば良い。
【００７８】
このようにして得られる室内照度を時系列的にグラフ化した例を図１３に示す。望ましくは、室内照度最大値が１０００〜５０００ｌｘとなるようであれば、生体リズム調整にとって都合が良い。尚図１３の縦軸は全点灯時の点灯電力を１００％とした場合の点灯電力の比率を示す。
【００７９】
次の実施形態９は上記受光部１の受光面を太陽に追従を自動的に行うための手段を設けたものである。
（実施形態９）
図１４は本実施形態を示すもので、本実施形態は基本的には実施形態１と同じ構成を基本構成とし、この基本構成に受光部１の受光面が太陽の方角に向くように受光部１を可動するためのモーター及びモーターの回転を制御する制御部からなる受光面可動部２５と、受光面可動部２５に制御信号を与える太陽方位判定部２６とを加えたものである。
【００８０】
次に本実施形態の動作について詳述する。
【００８１】
まず受光部１の出力電圧は太陽方位判定部２６内の差動増幅部２７の非反転入力端に入力するとともに、サンプルホールド回路２８に入力する。サンプルホールド回路２８は受光部１の出力電圧をホールドするものであって、その出力は差動増幅部２７の反転入力端に入力している。差動増幅部２７の出力は現在の受光部１の出力電圧と、前にサンプルホールドした受光部１の出力電圧差を出力するようになっており受光面可動部２５はこの出力電圧差が最大となる位置までモーターを駆動する。つまり受光部１の受光面が太陽に正対する位置まで受光部１の受光面を太陽の方角に追従させることができるのである。
【００８２】
尚太陽追従以外の構成の動作は実施形態１と同じであるから、説明は省略する。また受光部１の可動機構としては公知の手段を用いれば良いので、ここでは構造についての図示及び説明は省略する。
（実施形態１０）
図１５は本実施形態を示しており、本実施形態は、図示するように受光部１を屋内に設け、その受光面を建物２９に設けた採光窓３０方向に向けた点に特徴がある。つまり受光部１の受光面が採光窓３０とは異なる方向を向いていると、採光窓３０近辺の照度とは相関を有しなくなるので、本実施形態のように受光部１の受光面を採光窓３０の方向に向けることにより、採光窓３０の近辺の照度と相関を有する照明システムが実現できる。
【００８３】
尚その他の構成は実施形態１と同じであり、またその動作も実施形態１と同じであるから、説明は省略する。
（実施形態１１）
図１６は本実施形態を示しており、本実施形態は図示するように、電力供給部３と、点灯装置４と、照明負荷５と、電力制御部３１とで構成されるもので、電力制御部３１に特徴を有する。尚電力供給部３と、点灯装置４と、照明負荷５とは実施形態１と同じ構成である。
【００８４】
つまり電力制御部３１には現在の日付を計時するカレンダータイマー３２と、現在時刻を計時するタイマー３３と、調光データ時系列データベース３４と、カレンダータイマー３２及びタイマー３３からの現在の日時データを取り込み、その日時データに対応する外光データを調光データ時系列データベース３４から読み出し、この外光データより相関を持たした照度が得られるように点灯装置４に与える調光データを作成する調光データ演算部３５と、調光データ演算部３５から与えられた制御データに対応する幅の制御信号を点灯装置４に出力する調光データ出力部３６とから構成される。
【００８５】
ここで調光データ時系列データベース３４としては何月何日何時何分に外光（太陽光）がどのような明るさとなるかを既知の測定データ等に基づいて記述したデータテーブルか、或いは一日毎の日の出及び日没時刻の外光データと予め日の出から日没までの平均的な外光の明るさ変化のパターンデータとを記述したデータテーブルからなり、調光データ演算部３５は前者の場合にはそのまま読み出したデータを使用し、後者の場合には両データを読み出して両データに基づいた演算（乗算）を行うことにより現在時刻の外光データを求める。
【００８６】
而して、本実施形態では、電力制御部３１が調光データ時系列データベース３４から得られる現在時刻の外光データに基づいて、その時点の調光のための制御信号を生成して点灯装置４へ与えるのである。
【００８７】
この場合、少なくとも正午前後の所定期間中前記照度を午前或いは午後の平均照度より高い照度となるような点灯制御パターンが得られるように制御データを調光データ演算部３５は作成する。
【００８８】
ここで点灯制御パターンについては種々考えられるが、本実施形態では次のような点灯制御パータンを目的に応じて採用する。
【００８９】
つまり点灯制御パターンとしては、図１７（ａ）に示すように日の出から正午にかけて直線的に照度を上昇させ、正午から日没まで照度を直線的に低下させる自然光変化に応じた基本的なパターン、更に図１７（ｂ）に示すように正午前後の所定期間中前記照度を午前或いは午後の平均照度より高い一定照度とし、昼間の明るい光による覚醒度の維持、向上を狙ったパターン、また図１７（ｃ）に示すように図１７（ｂ）のパターンを基に日没後一定の照度として、日没後の実際の作業に支障を来さないようにするパターン、また更に図１７（ｄ）に示すように図１７（ｃ）のパータンを基に正午過ぎの覚醒度の低下が起きる時期に照度を低くした休憩期間を設定し、その後の作業効率をより向上させるパターン、図１７（ｅ）に示すように図１７（ｃ）のパターンを基に直線的な変化を対数的な変化に変え、より自然光変化に近づけたパターンがある。
【００９０】
更に図１８（ａ）に示すように正午付近から日没前の所定の時刻まで照度を一定速度で下降させその後所定の照度を保つようにし、午前の光が生体リズムの調整と昼間の覚醒維持に有効となるようにしたパターン、また図１８（ｂ）に示すように図１８（ａ）のパターンを基に午前の照度上昇速度を大に、午後の照度の下降速度を小とし、図１８（ａ）の効果を狙うとともに、覚醒維持をし易くしたパターン、更にまた図１８（ｃ）に示すように図１８（ｂ）のパターンの一定照度期間に照度の揺らぎを持たせて覚醒維持をよりし易くしたパターン、また図１８（ｄ）に示すように図１８（ｃ）の揺らぎの部分において下降速度を緩やかに上昇速度を急にして、覚醒度の向上をより有効にするパターンがある。この場合揺らぎ部分は図１８（ｅ）に示すように周期的によりランダムにした方が順応が少なく覚醒度維持により有効となる。
【００９１】
また作業場の照明の場合、始業時刻を始点とした図１９（ａ）乃至図１９（ｄ）に示すパターンがある。この場合図１９（ａ）は午前中を高い照度で一定に維持し、午後を外光に比例して照度を変化させたパターン、図１９（ｂ）は一定照度時間に幅を持たせ、且つ休息期間を設定したパターン、図１９（ｃ）（ｄ）は図１７（ａ）と図１８（ａ）のパターンをモデルにしたパターンである。
【００９２】
而して本実施形態によれば、太陽光を実際に受光することなく、任意の点灯制御パターンを設定することが可能となり、照明する場所に適したパターンや、生体リズムを考慮したパターンを実現することができる。
【００９３】
尚夏と冬とでは日照時間帯が異なるような場合、必ずしも忠実に自然光の変化を再現するのが良いとは限らない。そこで例えば電力制御部３１のカレンダータイマー３３の出力幅を１／２として春分及び秋分を中心にして夏至或いは冬至までの日付変化を１／２とするようにしても良い。
【００９４】
或いは調光データ時系列データベース３４の日の出、日没時刻のデータを２日単位で出すようにしても良い。
【００９５】
更に照明利用者の好きな季節を設定してその季節に応じた照度変化に対応する点灯制御パターンを出力するようにしても良い。
（実施形態１２）
図２０は本実施形態を示すもので、本実施形態は図示するように実施形態１１で用いた電力制御部３１の制御信号により点灯装置４を通じて天井等に取り付けた基本照明負荷５ａの点灯電力を制御する構成に加えて、個人用デスクスタンドや個人用スポットライト、ダウンライド等のタスク照明負荷５ｂの点灯電力を電力制御部３９の制御信号により点灯装置４０を通じて制御する構成となっている。ここで点灯装置４０は点灯装置４と同じ構成のもので、電力制御部３９から出力される制御信号の幅に応じて照明負荷５ｂの点灯電力を制御してタスク照明負荷５ｂの照明域の照度を可変することができるもので、点灯電力は電力供給部３からオン／オフ制御部３８を介して供給されるようになっている。オン／オフ制御部３８はタスク照明オン／オフ手動選択部３７の選択信号或いは、机等の着席状況を検出する着席状況検出部４１の検出出力に基づいてタスク照明のオン／オフの要、不要を判別する判別部４２の判別信号によりオン／オフし、オン時に電力供給部３からの電力を点灯装置４０に供給し、オフ時に遮断するようになっている。スイッチＳＷ０はオン／オフ制御部３８に接続する信号を、タスク照明オン／オフ手動選択部３７の選択信号と判別部４２の判別信号とから切換選択するためのスイッチである。
【００９６】
電力制御部３９は、上述の電力制御部３１における調光データ演算部と調光データ出力部を一体とした調光データ演算出力部４６と、覚醒度維持の点灯制御パターンを格納しているデータベース４５と、タスク照明を使用する個人情報や、個人用パターン選択のための入力部４３と、現在時刻を計時するタイマー４４とからなり、調光データ演算出力部４６はタイマー４４からの現在時刻データに基づいて対応する調光データをデータベース４５により読み出し、このデータを、個人情報や個人用パターン選択の内容に基づいて所定の調光レベルの制御信号を生成して出力する。
【００９７】
尚本実施形態の電力制御部３１は実施形態１１の電力制御部３１と同じものであるため、構成及び動作についての説明は省略する。
【００９８】
而して本実施形態の場合室内全体の基本照明負荷５ａの照度制御は実施形態１１と同様に電力制御部３１からの制御信号により行う一方、着席具合や、或いは必要に応じて個人用のタスク照明負荷５ｂの照度制御を覚醒度の維持を持たせことができるような点灯制御パターンで電力制御部３９より出力される制御信号に行うことができるのである。
【００９９】
尚本実施形態では図２１（ａ）に示すように基本照明負荷５ａによる照明で、日の出から日没まで一定照度を保ち、日没から更に低い照度で一定に保つ基本照度を得、タスク照明負荷５ｂの点灯電力の制御を図２１（ｂ）に示すように外光（太陽光）の変化に相関した照度が得られるようにすることにより、外光と相関を持つ照度変化を持つ照明を行うことができる。この場合外光の変化に相関した照度変化を持たせた照明を個人毎に行うことができる上に、基本照明負荷５ａによる照度を低くすることができるため消費電力を少なくすることができる。
【０１００】
また図２１（ｃ）に示すように基本照明負荷５ａによる照明で、日の出から日没まで図１７（ｄ）のパターンとなるように照度変化を得、タスク照明負荷５ｂの点灯電力の制御を図２１（ｄ）に示すように揺らぎを持たせるような制御も本実施形態では可能となる。基本照明負荷の照度変化が図２１（ｂ）（図１７（ｂ）に相当）でタスク照明負荷の制御が図２１（ｄ）という制御も可能であり、基本照明で１日の照度変化を大まかに再現し、タスク照明で覚醒維持パターンを重畳させることができる。
【０１０１】
尚上記実施形態１乃至１０及び実施形態１１，１２で示す照明負荷は複数のランプであっても、１本１本のランプであっても良く、複数の場合には点灯装置として多灯点灯装置が用いられる。また複数の点灯装置を併設する場合には、電力制御部や電力出力部を共用しても良い。
（実施形態１３）
本実施形態は、照明利用者たる作業者の作業場所が固定されている所、例えば執務室（オフィス）、工場の固定されている作業場、監視する対象の方向・監視場所が固定されている監視室等に適した照明システムにかかる。
【０１０２】
図２２は、本実施形態の構成を示しており、本実施形態の照明システムは、必要最小限の照度を確保するために設置された基本照明負荷となる光源を備えた全般照明器具４９及び全般照明器具４９用の点灯装置５２と、照明利用者Ｍに必要とする照度を与えるために、必要に応じて１個以上設置され照明利用者Ｍの視野内を照射するタスク照明負荷たる光源を備えたダウンライトやスポットライト等のような局部照明器具５０ａ…と、各局部照明器具５０ａ…に対応する調光機能を備えた点灯装置５１ａ…と、各局部照明器具５０ａ…を後述する光量変化となるように調光制御する制御データを各点灯装置５１ａ…に与える制御部５４と、制御部５４で制御データを作成するための光量変化情報を発生する光量変化情報発生部５６と、電源たる電力供給部５５とからなり、各照明器具４９及び５０ａ…を含めて天井部５３に配置してある。
【０１０３】
図２３は本実施形態の回路構成を示しており、光量変化情報発生部５６は、タイマーやカレンダータイマーの計時時刻に基づいて実施形態１１と同様に調光データ時系列データベースより調光データを呼出して光量変化情報を発生したり、或いは外光の明るさを検知するセンサーの検知情報に基づいて光量変化情報を発生する機能を備えたもので、太陽光の光量の変化の推移と対応する光量変化情報を制御部５４へ与えるもので、制御部５４はこの光量変化情報発生部５６からの光量変化情報に基づいた調光データを制御データとして作成し、点灯装置５１ａ…に与えるようになっている。この場合作成される調光データは日の出から日没までの太陽光の光量の変化の推移と対応するように局部照明器具５０ａ…によって照射される照明域の照度を変化させ且つ、少なくとも正午前後の所定期間中前記照度を午前或いは午後の平均照度より高い照度となるように局部照明器具５０ａ…局部照明用光源Ｌａ…を制御するように設定される。
【０１０４】
また制御部５４は電源たる電力供給部５５からの電力を各点灯装置５１ａ…を介して各局部照明器具５０ａ…に供給するようにもなっている。尚全般照明器具４９に対応する電源は別の電力供給部（図示せず）から与えるようになっている。勿論上記の電力供給部５５を共用しても良い。
【０１０５】
点灯装置５１ａ…は制御部５４からの制御データに基づいて局部照明器具５０ａ…の光源Ｌａ…への点灯電力の制御を行って調光するとともに、夫々に設けてある局部照明用スイッチＳＷａ…の操作により点灯／消灯を行うようになっている。
【０１０６】
而して本実施形態では、作業者たる照明利用者Ｍが作業を行う机５７等を，最も低照度で照明しなければいけないときには、全般照明器具４９のみで照明し、それより高い照度を照明利用者Ｍが必要とするときには、対応する各局部照明器具５０ａ…に設けた局部照明用スイッチＳＷａ…をオンすることで，ダウンライトやスポットライト等の局部照明器具５０ａ…による照明を全般照明器具４９の照明に加え、当該局部照明器具５０ａ…による照度を制御部５４によって制御することで、局部照明器具５０ａ…による照明域（照明利用者Ｍの視野内）の照度を必要とする照度に設定することができる。ここでこの照度を、日の出から日没までの太陽光の光量の変化の推移と対応するように変化させるとともに、少なくとも正午前後の所定期間中前記照度を午前或いは午後の平均照度より高い照度となるように変化させることで、上記の各実施形態と同様に照明利用者Ｍの生体リズムにあった照明が行われる。
【０１０７】
尚図２２の構成では局部照明器具５０ａ…を天井部５３に配設しているが、図２４に示すような相対する机５７，５７を仕切るパーティション５９に設置しても良い。但し、この場合局部照明器具５０ａ…は光拡散型のパネル５８を光源Ｌａ…の前面に取り付ける等して、直視して不快な眩しさにならないようにしてある。図２４の例における回路構成及び全般照明器具４９の役割は上述と同様であるため、図２２、図２３の構成要素と同じ役割を持つ構成要素にには同じ番号、記号を付し、説明は省略する。尚電源たる電力供給部５５は全般照明用の点灯装置５２及び局部照明用の点灯装置５１ａ，５１ｂに夫々対応して設けてある。
【０１０８】
更にまた上記の局部照明器具５０ａ…は天井部５３やパーティション５９に配置する構成であったが、図２５乃至図２７に示すように机５７上に載置するスタンド型の器具で局部照明器具５０を構成しても良い。この場合も照明利用者Ｍの視野内の明るさ（照度）を上述のように日の出から日没までの太陽光の光量の変化の推移と対応するように変化させるとともに、少なくとも正午前後の所定期間中前記照度を午前或いは午後の平均照度より高い照度とするように調光制御を局部照明器具５０に対して行うのは勿論で、回路構成的には図２２（図２３）、図２４の例と同じである。
【０１０９】
但しこの場合透過拡散型のパネル５８’を図２６に示すように光源Ｌの前面に取り付ける等して、直視しても不快な眩しさにならないようにしてある。尚図２６中６０は器具の筐体、６１は反射板である。
【０１１０】
また局部照明器具５０として図２８（ａ）乃至（ｃ）及び図２９（ｄ）に示すように通常のスタンドにも使用できるように機能切換の構成を持つ照明器具を用いても良い。
【０１１１】
図示する照明器具は、前面開口部に拡散型のパネル５８を被着し、内部に反射板１００と光源Ｌとを内蔵した箱状のスタンド部筐体１０１の前下端両側を支持台１０２の上前端両側に設けた枢軸１０９により前倒自在に枢支した構造となっており、スタンド部筐体１０１及び支持台１０２は上述したパーティション５９に形成せる前面と上面が開口した収納凹部１０３に収納してある。ここでスタンド部筐体１０１の両側側面の後部の上下位置に形成したガイド用突起１０４と、両突起１０４と同一線上の支持台１０２の両側側面に設けたガイド用突起１０５とを収納凹部１０３の両側内壁面の後部に設けた上下方向のガイド凹部１０６内に上下移動自在に嵌め、また支持台１０２の両側側面の前部に設けたガイド用突起１０７をガイド凹部１０６に並行するように収納凹部１０３の両側内壁面の前部に設けたガイド凹部１０８に上下動作自在に嵌め込んである。
【０１１２】
而して本発明照明システムにおける局部照明器具５０として照明器具を使用する場合には、図２９（ａ）に示すようにガイド凹部１０６及び１０８の下端位置に支持台１０２の両側側面のガイド用突起１０４、１０７及び１０８があって、収納凹部１０３内にスタンド部筐体１０１が収納され支持台１０２上にスタンド部筐体１０１が載承された状態にセットする。この場合光源Ｌから出る光はパネル５８を介してパーティション５９の前方を照射する。
【０１１３】
次に通常のスタンド照明として使用する場合には、図２９（ａ）に示す状態からスタンド部筐体１０１を、ガイド凹部１０６の上端開口よりガイド突起１０４、１０４が上方に抜け出てガイド用突起１０７がガイド凹部１０８の上端に衝突する位置（図２９（ｂ））まで移動させる。この状態からスタンド筐体１０１を、枢軸１０９を中心として図において反時計方向に回転させて図２９（ｃ）に示すようにスタンド筐体１０１を前倒し状態とする。ここで図２９（ｃ）において後端下面部となるスタンド部筐体１０１の下端前面部が、上記支持台１０２の上面と同一面となる上面を持ち収納凹部１０３の前面開口より前方に突出させている支持台１１０上に載承されて支持されることになる。
【０１１４】
この状態でスタンド部筐体１０１を支持台１０２のガイド用突起１０５，１０７がガイド凹部１０６，１０８の下端位置まで下方向に移動させれば照明方向が下向き（机上面方向）となるスタンドを構成することになる。
（実施形態１４）
本実施形態は、実施形態１３の図２２のシステム構成において、図３０に示すように照明利用者Ｍの存在を認識できる熱線センサー等からなる人感センサー部６２ａ…を付加したシステムであり、多数の照明利用者Ｍが部屋に存在し、且つ照明利用者Ｍの作業場所が固定されていて、その場所を照明利用者Ｍが使わないことが頻繁にあり、照明利用者Ｍによって使用する時としない時のタイミングが異なる作業場、執務室（オフィス）等に適するようにしたものである。
【０１１５】
図３１は本実施形態の回路構成を示しており、局部照明器具５０ａ…が照射しようとしている視野内の近くに照明利用者Ｍがいることを熱線センサー等からなる人感センサー部６２ａ…が検知し、その検知信号を対応する局部照明器具５０ａ…の点灯装置５１ａ…（或いは制御部５４）に送られ，その信号を受けた点灯装置５１ａ…（或いは制御部５４）が対応する局部照明器具５０ａ…に対して調光制御動作を行う。つまり点灯装置５１ａ…に検知信号が送られる場合には、制御部５４からの制御データを有効として該制御データにより当該点灯装置５１ａ…が調光制御を行う。また制御部５４に検知信号が送られる場合には制御部５４は対応する点灯装置５１ａ…に制御データを送り、この制御データを受け取った当該点灯装置５１ａ…は対応する局部照明器具５０ａ…に対して調光制御を行う。
【０１１６】
尚図３０、図３１に示す構成要素において図２２、図２３に基本的に同じ構成、同じ動作を為す構成要素には同じ番号、記号を付し、説明は省略する。また全般照明器具４９と点灯装置５２に対応する電源たる電力供給部は特には図示せず、省略してある。
【０１１７】
而して本実施形態の調光制御も実施形態１３と同様に照明利用者Ｍの視野内の明るさ（照度）を上述のように日の出から日没までの太陽光の光量の変化の推移と対応するように変化させるとともに、少なくとも正午前後の所定期間中前記照度を午前或いは午後の平均照度より高い照度となるように調光制御して、照明利用者Ｍの生体リズムにあった照明を行う。
【０１１８】
また本実施形態によれば作業をしている照明利用者Ｍの視野内のみ局部照明器具５０ａ…による照明を行うことができる。
（実施形態１５）
本実施形態は、図３２、図３３に示すように照明利用者Ｍの存在を認識できる人感センサー部６２ａ…を各局部照明器具５０ａ…毎に付加するとともに、人感センサー部６２ａ…の検知信号に基づいて照射方向可変自在な局部照明器具５０ａ…を設けたシステムで、照明利用者Ｍの作業場所が固定されない作業，執務室に最適で、会議室，机の配置等が頻繁に変わる執務室（オフィス）等に適しているものである。尚図３２では一つの局部照明器具５０ａしか示していないが、上記の実施形態１３、１４と同様に設置場所に応じて複数設けられる。
【０１１９】
本実施形態で使用する人感センサー部６２ａ…は照明利用者Ｍの存在と位置を認識できるＣＣＤを用いた画像処理センサー等からなり、また局部照明器具５０ａ…は図３３に示すように局部照明用照射方向可変モーターＭＴ１、ＭＴ２を備えて該モーターＭＴ１、ＭＴ２により駆動され、後述のように照射方向を自由に可変することができる照明器具からなる。
【０１２０】
局部照明用照射方向可変モーターＭＴ１、ＭＴ２は夫々に対応して設けた局部照明用照射方向制御部６３ａ…により制御され、局部照明用照射方向制御部６３ａ…は対応する人感センサー部６２ａ…の照明利用者Ｍの位置検知情報に基づいて対応する局部照明器具５０ａ…の照射方向が、照明利用者Ｍの視野内となるように局部照明用照射方向可変モーターＭＴ１、ＭＴ２の回転を制御する。
【０１２１】
尚その他の構成は実施形態１３と基本的には同じであるため、図２２、図２３で示す構成要素と同じ構成要素には同じ番号、記号を付して説明は省略する。
【０１２２】
而して本実施形態では、照明利用者Ｍを検知した人感センサー部、例えば６２ａはその検知信号を対応する局部照明器具５０ａの点灯装置５１ａ（或いは制御部５４）に送り、その検知信号を受けた点灯装置５１ａ（或いは制御部５４）は対応する局部照明器具５０ａに対して調光制御動作を行う。つまり点灯装置５１ａに検知信号が送られる場合には、制御部５４からの調光の制御データを有効として該制御データにより当該点灯装置が調光制御を行う。また制御部５４に検知信号が送られる場合には制御部５４は対応する点灯装置５１ａに制御データを送り、この制御データを受け取った当該点灯装置５１ａは対応する局部照明器具５０ａに対して調光制御を行う。
【０１２３】
上記の調光制御と同時に、人感センサー部６２ａは照明利用者Ｍの検知位置情報を局部照明器具５０ａの局部照明用照射方向制御部５５ａに送る。検知位置情報を受け取った局部照明用照射方向制御部５５ａは照明利用者Ｍの視野内を局部照明器具５０ａが照明するように局部照明用照射方向可変モーターＭＴ１、ＭＴ２の回転を制御して局部照明器具５０ａの照射方向を変える。
【０１２４】
ここで本実施形態に用いる局部照明器具５０ａ…としては図３４（ａ）乃至（ｄ）に示すようにダウンライト型の照明器具を用いる。この照明器具は有底円筒型の外部器具保持部６４と、この外部器具保持部６４内に収納され外部器具保持部６４の上面に設けられたモーターＭＴ１により水平方向に回転駆動されるようにモーターＭＴ１の駆動軸６５に上面中心が固定されている筐体６６と、この筐体６６内に配置され、一端部がモーターＭＴｂの駆動軸（図示せず）により垂直方向に回転されるように配置された灯具６７と、この灯具６７の他端内部に配置された反射板６８と、光源Ｌとからなり、モーターＭＴ１，ＭＴ２の電源線６９は対応する局部照明用照射方向制御部５５ａ…に接続され、光源Ｌからの電源線７０は対応する点灯装置５１ａ…に接続されている。
【０１２５】
而して上記の人感センサー部、例えば６２ａからの検知位置情報を受け取った局部照明用照射方向制御部５５ａは、モーターＭＴ１の回転制御を行って筐体６６を図３４（ｂ）に示す矢印方向、つまり水平方向に回転させて灯具６７の位置を照明利用者Ｍの存在方向に対応させるとともに、モーターＭＴ２の回転制御を行って、灯具６７を図３４（ｄ）に示す矢印方向、つまり垂直方向に回転させて反射板６８及び光源Ｌａの照射角を照明利用者Ｍの視野内を照射するように可変設定する。
【０１２６】
以上のように本実施形態では、作業をしている照明利用者Ｍの位置情報によって照明利用者Ｍの視野内のみを照射するよう局部照明器具５０ａ…の照射方向を自動的に変更するので、明利用者Ｍが以前と異なった位置で作業をしていても、その照明利用者Ｍの視野内の明るさ（照度）を日の出から日没までの太陽光の光量の変化の推移と対応するように変化させるとともに、少なくとも正午前後の所定期間中前記照度を午前或いは午後の平均照度より高い照度となるように制御することができるのである。
（実施形態１６）
上記実施形態１５では、人感センサー部６２ａ…の検知した照明利用者Ｍの位置情報に基づいて局部照明器具５０ａ…の照射方向を制御するようにしていたが、本実施形態では、図３５に示すように照明利用者Ｍが持つ例えば赤外線等の光を信号媒体として利用したリモコン送信器７１から送信したリモコン信号を、図３６に示すように局部照明器具５０ａ…に付設した受信手段であるリモコン信号受光部７２ａ…が受光する。ここでリモコン信号は送信チャンネル毎に照射方向を設定しており、つまり送信チャンネルが照射方向情報となっており、リモコン信号受光部７２ａ…では受光したリモコン信号のチャンネルに応じて照射方向を判断してその照射方向の情報を対応する局部照明用照射方向制御部６３ａ…に送るようになっている。従って、実施形態１５と同様に照明利用者Ｍの作業場所が固定されない作業，執務室や会議室，机の配置等が頻繁に変わる執務室（オフィス）等に適している。
【０１２７】
而して本実施形態では、照明利用者Ｍが局部照明器具の照射方向を自分の視野内となるように対応した送信チャンネルの操作釦を操作し、例えば局部照明器具５０ａに向かってリモコン信号を送信すると、局部照明器具５０ａのリモコン信号受光部７２ａはリモコン信号の受光があったことを示す信号を対応する点灯装置５１ａ（或いは制御部５４）に送り、その信号を受けた点灯装置５１ａ（或いは制御部５４）は対応する局部照明器具５０ａに対して調光制御動作を行う。つまり点灯装置５１ａ…に検知信号が送られる場合には、制御部５４からの調光の制御データを有効として該制御データにより当該点灯装置が調光制御を行う。また制御部５４に検知信号が送られる場合には制御部５４は対応する局部照明器具５０ａに対応して点灯装置５１ａ…に制御データを送り、この制御データを受け取った当該点灯装置が調光制御を行う。
【０１２８】
上記の調光制御と同時に、リモコン信号受光部７２ａは受信チャンネルより判定した照射方向情報を対応する局部照明器具５０ａの局部照明用照射方向制御部５５ａに送り、局部照明用照射方向制御部５５ａはリモコン信号受光部７２ａからの照射方向情報に基づいて照明利用者Ｍの視野内に必要とする照度で照射するようにモーターＭＴ１，ＭＴ２の回転を制御して局部照明器具５０ａの照射方向を変える。
【０１２９】
尚本実施形態で用いる局部照明器具５０ａ…としては実質的には図３４の構成と同じ構成を持つ図３７（ａ）乃至（ｄ）に示すダウンライト型の照明器具を用いる。ここで本実施形態の局部照明器具５０ａ…と図３４の局部照明器具５０ａ…と異なる点はリモコン受光部７２を筐体６６内に設けた点であり、このリモコン受光部７２からの信号線７３を対応する局部照明用照射方向制御部６３へ送るように外部器具保持部６４の上部より外部に導出してある。尚他の構成は図３４の構成と同じであるから同じ構成要素には同じ番号、記号を付して説明は省略する。
【０１３０】
而してリモコン信号受光部５４ａ…から照射方向情報を受け取った局部照明用照射方向制御部５５ａ…は、モーターＭＴ１，ＭＴ２の回転制御を行って灯具６７の向きと照射角を実施形態１５の場合と同様に可変設定する。以上のように本実施形態では、作業をしている照明利用者Ｍの視野内のみを照射するように照明利用者Ｍ自身で照射方向の選択を行って局部照明器具５０ａ…の照射方向を変更することにより、照明利用者Ｍが以前と異なった位置で作業をしていても、その照明利用者Ｍの視野内の明るさ（照度）を日の出から日没までの太陽光の光量の変化の推移と対応するように変化させるとともに、少なくとも正午前後の所定期間中前記照度を午前或いは午後の平均照度より高い照度となるように設定できる。
【０１３１】
尚上記構成ではリモコン送信器７１から送信する情報は予め設定した照射方向を示す照射方向情報であったが、局部照明器具５０ａ…の動きをジョイステッィク等の操作手段を用いて遠隔操作する操作信号を照射方向情報としてリモコン送信器７１から送るようにすれば、照明利用者Ｍ自身の操作で最適な方向に照射方向を設定することができる。
（実施形態１７）
本実施形態は、朝起きてから仕事等の目的で外出するまでの間に利用し、外出してからすぐに活動状態になるように、利用する人間を覚醒させることが要求される洗面所、ダイニング、玄関等の空間や、又は入眠するするまでに、利用する人間がくつろいだ状態になることが要求されるリビングルーム等利用する人の生体リズムを目的に応じて調整することが要求される空間等住宅用照明に適した照明システムである。
【０１３２】
本実施形態の照明システムは、図３８に示すように例えば洗面所７４に設置された照明利用者Ｍの視野内を照射することのできる１個以上の照明器具８０とそれら照明器具８０を調光制御する機能を備えた点灯装置５１と、日の出から日没までの太陽光の光量の変化の推移と対応するように照明器具８０の光量を変化させるデータを作成するためのタイマー又は外光の明るさを検知するセンサー等からなり、太陽光の光量の変化の推移と相関な光量変化情報を出力する光量変化情報発生部５６と、光量変化情報を受けて調光データを作成して制御データとして点灯装置５１に送る制御部５４と、電力供給部５５とから構成される。
【０１３３】
本実施形態では点灯スイッチＳＷがオンされると、光量変化情報発生部５６から得られた光量変化情報を基に制御部５４が点灯装置５１に制御データを送り、点灯装置５１ではその制御データに基づいて照明器具８０の光量が目的とする光量となるように調光制御を行って利用する人間の視野を照明器具８０の照明光により照射する。但し最大光量を照射している状態で、照明器具８０を直視しても不快なグレアを感じないように、本実施形態の照明器具８０は光を拡散させる乳白パネルで光源を覆っている。
【０１３４】
通常、洗面所７４は家の中で日光の入りにくい位置にあるため、覚醒レベルを上げるほど十分な光量はない。従って、顔を洗う、髪を整えるなどのために、洗面所７４に入っても、覚醒レベルは起きてからの状態とほぼ変わらないのが現状であった。
【０１３５】
しかし、この洗面所７４における本実施形態の照明システムでは、例えば、外光の光量変化と相関を持たせた光量変化で、対象とする照明器具８０の光量を変化させ、例えば朝起きてから洗面所７４で顔を洗う、髪を整えるなどの行為をしたときには、覚醒効果を与える光量となるように照明器具８を調光制御して照明利用者Ｍの視野を照射することにより起きて間もないために覚醒レベルが下がっている状態であっても覚醒させることができ、これからの活動効率を上げる効果を照明利用者Ｍに与えることができる。
【０１３６】
一方で、帰宅して洗面所７４で手を洗う、うがいをする等の行為をするときには、照明器具８０の光量を朝や昼間に比べて低い照度レベルで照射するように調光制御することにより、日没時の暗い中歩いて帰宅するなど暗い状態に順応している目に眩しさを与えない、帰宅時には必要とされない余分な覚醒効果与えない等、帰宅してから入眠までの間に利用する人の覚醒度を下げ、入眠前に望まれるくつろぎ状態に持っていくことができる。
【０１３７】
また、夜勤等、通常の人が寝ている時間に覚醒度を上げ、活動状態に持っていくことが要求される人に対しては、職場に向かう等の外出時の夜には覚醒度を上げる朝の光量変化を、帰宅する朝には覚醒度を下げる夜時の光量変化にて照明器具の光量を変化させることにより、利用する人の生体リズムを夜に活動できるように調整することができる。
【０１３８】
以上述べてきたように、本実施形態の照明システムでは、目的に応じた光量変化を行うことにより、照明利用者Ｍの生体リズムを目的の生体リズムにあうように調整することができる。
（実施形態１８）
本実施形態の照明システムは、図３９に示すように照明利用者Ｍの存在を感知する人感センサー部６２を付加し、その人感センサー部６２から出力される照明利用者Ｍが存在しているかどうかの検知情報を受け、その検知情報に基づき、照明利用者Ｍが存在するときには対象とする照明器具８０を調光機能を持つ点灯装置５１により点灯させる機能を備えた制御部５４を設けたもので、例えば玄関７５に設置される。
【０１３９】
而して本実施形態では、玄関７５に設置した照明器具８０の照射領域に人Ｍが存在する存在することを赤外線感知等の人感センサー部６２が検知すると、その検知情報を制御部５４が受け、人Ｍが存在すると検知されたときには、実施形態１５と同様に構成された光量変化情報発生部５６から得られた光量変化情報を基に、制御部５４は制御データを作成して点灯装置５１に送る。点灯装置５１が受け取った制御データに基づいて照明器具８０を調光制御して目的とする光量で照明利用者Ｍの視野を照射させる。一方照明利用者Ｍが存在しないと検知されたときには、制御部５４が消灯の信号を点灯装置５１に送り、その消灯の信号を受け取った点灯装置５４は、照明器具８０を消灯させる。
【０１４０】
ところで通常、玄関７５は家の中で日光の入りにくい位置にあるため、覚醒レベルを上げるほど十分な光量はない．従って、朝の外出のために玄関７５に入っても、覚醒レベルは上昇は期待できなかった。
【０１４１】
しかし、本実施形態による照明システムでは例えば外光の光量変化と相関を持たせた光量変化情報を光量変化情報発生部５６より制御部５４に与え、朝外出のために玄関７５に照明利用者Ｍが存在するときには、覚醒効果を与える光量となるように対象とする照明器具８０の光量を調光制御して利用する人Ｍの視野を照射することにより、起きて間もないために覚醒レベルが下がっている状態の照明利用者Ｍを覚醒させ、外出してからの活動効率を上げる効果を照明利用者に与えることができる。
【０１４２】
一方で、帰宅して外から玄関に入るときには、光量は朝や昼間に比べて低い照度レベルで照射するように照明器具８０を調光制御することにより、日没時の暗い中歩いて帰宅するなど暗い状態に順応している目に眩しさを与えない、帰宅時には必要とされない余分な覚醒効果を与えないなど、帰宅してから入眠までの間に照明利用者Ｍの覚醒度を下げ、入眠前に望まれるくつろげる状態に持っていくことができる。
【０１４３】
尚図３９中、５５は電源たる電力供給部である。
（実施形態１９）
本実施形態の照明システムは、図４０に示すように必要とされる光量の中で最低光量以上の光量で照射することのできる天井部５３より吊り下げた全般照明器具４９と、テーブル７６上に設けられ、外光の光量変化と相関を持たせた光量変化で照明利用者Ｍを照射することのできる局部照明器具５０から構成され、ダイニングルーム（食卓）７７に適用したものである。
【０１４４】
而して本実施形態では、最低光量で照明しなければいけないときには、全般照明器具４９のみで照明する。スイッチＳＷ０  はこの全般照明器具４９の点灯スイッチであり、このスイッチＳＷ０がオンすると点灯装置５２が全般照明器具４９を電源たる電力供給部５５’からの電力で点灯させる。
【０１４５】
それより高い照度を必要とするときには、スタンド等からなる局部照明器具５０の制御部５４が、上述の実施形態１７、１８と同様に構成された光量変化情報発生部５６から受けた光量変化情報を基に、外光の光量変化と相関を持たせた光量変化で局部照明器具５０の光量を変化させるための制御データを出力し、その制御データを受けた局部照明用の点灯装置５１はその制御データに応じた光量となるように局部照明器具５０を電源である電力供給部５５からの電力を受けて調光制御する。
【０１４６】
そして、この調光制御された局部照明器具５０による照明を加えることで、必要とする光量で対象とする照明利用者Ｍの視野内を照明する。ここで本実施形態では局部照明器具５０の光量を、外光の光量変化と相関を持たせて変化させ、例えば朝食時には覚醒効果を与える光量で照明利用者Ｍの視野を照射させることにより、起きて間もないために覚醒レベルが下がっている状態の人を覚醒させ、これからの活動効率を上げる効果を照明利用者Ｍに与えることができる。一方で、帰宅してからの夕食時には、局部照明器具５０の光量を減らして朝や昼間に比べて低い照度レベルで照射させることにより、帰宅時には必要とされない余分な覚醒効果を与えないなど、夕食時に望まれるくつろいだ状態で食事を取ることができるような照明状態を呈することができる。
【０１４７】
尚局部照明器具５０は光源を拡散性の乳白パネル等で覆って局部照明器具５０を直視しても不快なグレアを感じないようにしてある。
（実施形態２０）
上記各実施形態は、ビル、住宅等の建物内の照明システムにかかるものであったが、本実施形態は早朝に目的値に到着する夜間に走行する高速バスや寝台車、時差の大きい場所に移動する目的で利用される飛行機等、照明利用者が利用後に通常の生活活動とは異なる時刻に起床、活動、睡眠することになる乗り物に適した照明システムにかかるものであり、例えば図４１に示すように飛行機に適用させたものである。
【０１４８】
本実施形態では照明利用者Ｍの視野内を光量変化で照射することのできる１個以上の照明器具８０とそれら照明器具８０を調光制御するための点灯装置５１と、実施形態１７乃至１９に用いたものと同様な構成を持つ光量変化情報発生部５６と、該光量変化情報発生部５６からの光量変化情報を受け点灯装置５１に制御データを送る制御部５４と、電源たる電力供給部５５から構成される。
【０１４９】
本実施形態では光量変化情報発生部５６から得られた情報を基に、制御部５４は外光の光量変化と相関関係を持たせて照明器具８０の光量を変化させるように点灯装置５１に制御データを送り、その制御データを受け取った点灯装置５１は照明器具８０が目的とする光量で照明利用者Ｍの視野を照射するように調光制御を行う。但し最大光量を照射している状態で、照明器具８０を直視しても不快なグレアを感じないように、本実施形態に用いる照明器具８０は、光を拡散させる乳白パネル（図示せず）で光源（図示せず）を覆っている。
【０１５０】
この飛行機の機内照明に用いた本実施形態の照明システムでは外光の光量変化と相関を持たせた光量変化で、対象とする照明器具８０の光量を変化させることにより、出発地との時差が大きい場所に到着したときであっても、到着時が朝の場合には覚醒効果を与える朝の光量変化で利用する照明利用者Ｍの視野を照射することができ、従って睡眠不足のために覚醒レベルが下がっている状態の照明利用者Ｍを覚醒させ、到着場所における活動効率を上げる効果を照明利用者Ｍに与えることが可能となる。逆に夜の場合には、覚醒レベルを下げ、睡眠等の夜の活動に入り易いような夜時の光量変化で照明利用者Ｍの視野を照射することにより、到着後、すぐホテルに入って寝る等、起床、活動、睡眠等の活動パターンを到着場所の通常の活動パターンにスムーズに移行でさるように生体リズムを調整できる。
【０１５１】
また、本実施形態の照明システムを高速バス等通常寝ている早朝に到着する乗り物に適用した場合には、バス到着時に照明利用者の覚醒レベルを上げるように光量を変化させて照明利用者を照射することにより、通常寝ている時間に到着し、覚醒レベルが下がっている照明利用者の覚醒レベルを起床・活動状態まで上げ、照明利用者が乗り物から降りた後の活動に無理なく移行できるように照明利用者の生体リズムを調整することができる。
（実施形態２１）
本実施形態は、図４２に示すように必要とされる光量の中で最低光量以上の光量で照射するとのできる乗り物内の全体を均一に照明することを目的とする全般照明器具４９と光量変化で照明利用者の視野内を照射することのできるスポットライト等からなる局部照明器具５０ａ…から構成される照明システムの実施形態であって、例えば飛行機の機内照明に適用したものである。
【０１５２】
本実施形態では、外光の光量変化と相関を持たせた光量変化の中で最低光量で照明しなければいけないとき、又はそのような光量変化を照明利用者Ｍが必要としないときには、局部照明器具５０ａ…に付設した点灯スイッチＳＷａ…をオフにすることで、全般照明器具４９のみの光量で対象とする照明利用者Ｍの視野内を照射する。そして、外光の光量変化と相関を持たせた光量変化を必要とする場合で且つ全般照明器具４９で照射できる光量より高い光量を必要とするには照明利用者Ｍが局部照明器具５０ａ…の点灯スイッチＳＷａ…をオンにする。この場合、制御部５４が光量変化情報発生部５６から受けた光量変化情報を基に外光の光量変化と相関関係を持たせた光量変化で光量を変化させるための制御データを出力し、その制御データを受けた点灯装置５１ａ…は制御データに応じた光量となるように局部照明器具５０ａ…を調光制御する。そしてこの調光制御された局部照明器具５０ａ…による照明を加えることで、必要とする光量で対象とする照明利用者Ｍの視野内を照明することができるとともに、外光の光量変化と相関を持つ光量変化で、対象とする照明利用者Ｍの視野内の明るさを変化させることができる。ここで局部照明器具５０ａ…の光源を拡散性の乳白パネル等で覆うなどして、局部照明器具５０ａ…を直視しても不快なグレアを感じないようにする必要がある。
【０１５３】
尚光量変化情報発生部５６から出力される光量変化情報は局部照明器具５０ａ…を調光制御するようなデータからなる。
【０１５４】
図中５２は全般照明器具４９の点灯装置、５５はシステム全体の電源たる電力供給部である。
【図面の簡単な説明】
【０１５５】
【図１】本発明の実施形態１のシステム構成図である。
【図２】同上の電力制御部の動作説明用波形図である。
【図３】同上における外光変化と、照度変化の関係を示す説明図である。
【図４】本発明の実施形態２のシステム構成図である。
【図５】同上における外光変化と、照度変化の関係を示す説明図である。
【図６】本発明の実施形態３のシステム構成図である。
【図７】本発明の実施形態４のシステム構成図である。
【図８】本発明の実施形態５のシステム構成図である。
【図９】本発明の実施形態６のシステム構成図である。
【図１０】同上による照度変化の説明図である。
【図１１】本発明の実施形態７のシステム構成図である。
【図１２】本発明の実施形態８のシステム構成図である。
【図１３】同上による照度変化の説明図である。
【図１４】本発明の実施形態９のシステム構成図である。
【図１５】本発明の実施形態１０のシステム構成図である。
【図１６】本発明の実施形態１１のシステム構成図である。
【図１７】同上に用いる点灯制御パターンの例図である。
【図１８】同上に用いる別の点灯制御パターンの例図である。
【図１９】同上に用いる他の点灯制御パターンの例図である。
【図２０】本発明の実施形態１２のシステム構成図である。
【図２１】同上に用いる点灯制御パターンの例図である。
【図２２】本発明の実施形態１３の一例のシステム構成図である。
【図２３】同上の回路構成図である。
【図２４】本発明の実施形態１３の他例のシステム構成図である。
【図２５】本発明の実施形態１３に用いる局部照明器具の他の例の説明図である。
【図２６】同上の局部照明器具の要部の拡大断面図である。
【図２７】（ａ）は同上の局部照明器具の拡大側面図である。（ｂ）は同上の局部照明器具の拡大正面図である。
【図２８】（ａ）は本発明の実施形態１３に用いる局部照明器具のその他の例の水平断面図である。（ｂ）は同上のスタンド部筐体の正面図である。（ｃ）は同上のスタンド部筐体の側面図である。
【図２９】同上の使用説明図である。
【図３０】本発明の実施形態１４のシステム構成図である。
【図３１】同上の回路構成図である。
【図３２】本発明の実施形態１５のシステム構成図である。
【図３３】同上の回路構成図である。
【図３４】（ａ）は同上に用いる局部照明器具の斜視図である。（ｂ）は同上に用いる局部照明器具の下面図である。（ｃ）は同上に用いる局部照明器具の側断面図である。（ｄ）は同上に用いる局部照明器具の灯具を回転させた状態の側断面図である。
【図３５】本発明の実施形態１６のシステム構成図である。
【図３６】同上の回路構成図である。
【図３７】（ａ）は同上に用いる局部照明器具の斜視図である。（ｂ）は同上に用いる局部照明器具の下面図である。（ｃ）は同上に用いる局部照明器具の側断面図である。（ｄ）は同上に用いる局部照明器具の灯具を回転させた状態の側断面図である。
【図３８】本発明の実施形態１７のシステム構成図である。
【図３９】本発明の実施形態１８のシステム構成図である。
【図４０】本発明の実施形態１９のシステム構成図である。
【図４１】本発明の実施形態２０のシステム構成図である。
【図４２】本発明の実施形態２１のシステム構成図である。
【符号の説明】
【０１５６】
１  受光部
２  電力制御部
３  電力供給部
４  点灯装置
５  照明負荷
６  基準波形発生部
７  比較部  
【図１】
2005228753.tif 000003
【図２】
2005228753.tif 000004
【図３】
2005228753.tif 000005
【図４】
2005228753.tif 000006
【図５】
2005228753.tif 000007
【図６】
2005228753.tif 000008
【図７】
2005228753.tif 000009
【図８】
2005228753.tif 000010
【図９】
2005228753.tif 000011
【図１０】
2005228753.tif 000012
【図１１】
2005228753.tif 000013
【図１２】
2005228753.tif 000014
【図１３】
2005228753.tif 000015
【図１４】
2005228753.tif 000016
【図１５】
2005228753.tif 000017
【図１６】
2005228753.tif 000018
【図１７】
2005228753.tif 000019
【図１８】
2005228753.tif 000020
【図１９】
2005228753.tif 000021
【図２０】
2005228753.tif 000022
【図２１】
2005228753.tif 000023
【図２２】
2005228753.tif 000024
【図２３】
2005228753.tif 000025
【図２４】
2005228753.tif 000026
【図２５】
2005228753.tif 000027
【図２６】
2005228753.tif 000028
【図２７】
2005228753.tif 000029
【図２８】
2005228753.tif 000030
【図２９】
2005228753.tif 000031
【図３０】
2005228753.tif 000032
【図３１】
2005228753.tif 000033
【図３２】
2005228753.tif 000034
【図３３】
2005228753.tif 000035
【図３４】
2005228753.tif 000036
【図３５】
2005228753.tif 000037
【図３６】
2005228753.tif 000038
【図３７】
2005228753.tif 000039
【図３８】
2005228753.tif 000040
【図３９】
2005228753.tif 000041
【図４０】
2005228753.tif 000042
【図４１】
2005228753.tif 000043
【図４２】
2005228753.tif 000044